(57)【要約】【課題】ＰＯＮシステムにおけるネットワーク帯域の有効活用を実現する。【解決手段】各終端装置は、送信フレームを端局装置から予め指定された送信期間中に送信できない場合、送信フレームを送信期間に応じて分割して端局装置に送信する。端局装置は、受信フレームのヘッダに含まれるフラグメント領域に基づいて終端装置により分割されたフレームを結合して各終端装置における送信フレームを再構成する。このため、端局装置から予め指定された送信期間が各終端装置における送信フレームの送信に要する時間より短い場合にも、各終端装置は、端局装置から予め指定された送信期間を無駄にすることなくフレーム送信動作を実施できる。この結果、ネットワーク帯域の無駄な占有を回避でき、加入者端末からのフレームの送信遅延時間を低減できる。【選択図】    図１
2005269239.tif 000002
【特許請求の範囲】
【請求項１】
局側の端局装置と加入者側の複数の終端装置との間を光受動素子を用いて接続した受動型光ネットワークシステムにおいて、
各終端装置は、
加入者端末から受信したフレームに、端局装置との間で個別に付与されたアドレスを設定するアドレス領域、分割の有無および最後のフレームであるか否かを設定するフラグメント領域を含むヘッダを付加して端局装置への送信フレームを生成する送信フレーム生成手段と、
前記送信フレームを端局装置から予め指定された送信期間中に送信できない場合、前記送信フレームを分割するための分割位置を、前記送信フレームの送信データ領域内で前記送信期間に応じて決定する分割位置決定手段と、
前記送信フレームを前記送信期間内に送信できない場合、前記送信フレームと同一のフレーム構成をそれぞれ有し、前記送信フレームの前記分割位置より前側の送信データを含む分割フレーム、後側の送信データを含む後続分割フレームを生成するフレーム分割手段と、
前記送信フレームを前記送信期間中に送信できない場合、前記分割フレームを前記送信期間中に送信するとともに、前記後続分割フレームを次回以降の送信期間中に送信するために保持するフレーム送信手段とを備え、
端局装置は、
受信フレームの前記ヘッダに基づいて、終端装置により分割されたフレームの受信を検出する分割フレーム検出手段と、
前記分割フレーム検出手段の検出に応答して、受信フレームのフラグメント領域が最後のフレームを示していない場合、その受信フレームを蓄積し、受信フレームのフラグメント領域が最後のフレームを示している場合、その受信フレームと蓄積しているフレームのうち受信フレームのアドレス領域が示す終端装置に対応するフレームとを用いて前記送信フレームを再構成するフレーム結合手段とを備えていることを特徴とする受動型光ネットワークシステム。
【請求項２】
局側の端局装置と加入者側の複数の終端装置との間を光受動素子を用いて接続した受動型光ネットワークシステムにおいて、
各終端装置は、
加入者端末から受信したフレームに含まれる終端装置識別領域のデータを圧縮するとともに、データ圧縮により生じる終端装置識別領域の冗長部分に、分割の有無を設定する第１識別子、送信順序を設定する第２識別子および最後のフレームであるか否か設定する第３識別子を設けて端局装置への送信フレームを生成する送信フレーム生成手段と、
前記送信フレームを端局装置から予め指定された送信期間中に送信できない場合、前記送信フレームを分割するための分割位置を、前記送信フレームの送信データ領域内で前記送信期間に応じて決定する分割位置決定手段と、
前記送信フレームを前記送信期間中に送信できない場合、前記送信フレームと同一構成の終端装置識別領域をそれぞれ含み、前記送信フレームの前記分割位置より前側の送信データを含む分割フレームおよび後側の送信データを含む後続分割フレームを生成するフレーム分割手段と、
前記送信フレームを前記送信期間中に送信できない場合、前記分割フレームを前記送信期間中に送信するとともに、前記後続分割フレームを次回以降の送信期間中に送信するために保持するフレーム送信手段とを備え、
端局装置は、
受信フレームの終端装置識別領域の冗長部分に基づいて、終端装置により分割されたフレームの受信を検出する分割フレーム検出手段と、
前記分割フレーム検出手段の検出に応答して、受信フレームの第３識別子が最後のフレームを示していない場合、その受信フレームを蓄積し、受信フレームの第３識別子が最後のフレームを示している場合、その受信フレームと蓄積しているフレームのうち受信フレームの終端装置識別領域が示す終端装置に対応するフレームとを用いて前記送信フレームを再構成するフレーム結合手段とを備えていることを特徴とする受動型光ネットワークシステム。
【請求項３】
請求項２記載の受動型光ネットワークシステムにおいて、
前記送信フレームの終端装置識別領域は、フレームの開始を示すプリアンブル領域に含まれ、
前記フレーム分割手段は、前記送信フレームの前記分割位置より前側部分と同一のフレーム構成を有する前記分割フレームを生成するとともに、前記送信フレームの分割位置より後側部分の先頭に前記送信フレームと同一構成のプリアンブル領域を付加したフレーム構成を有する前記後続分割フレームを生成することを特徴とする受動型光ネットワークシステム。
【請求項４】
請求項２記載の受動型光ネットワークシステムにおいて、
前記フレーム分割手段は、前記送信フレームと同一のフレーム構成をそれぞれ有する前記分割フレームおよび前記後続分割フレームを生成することを特徴とする受動型光ネットワークシステム。
【請求項５】
局側の端局装置と加入者側の複数の終端装置との間を光受動素子を用いて接続した受動型光ネットワークシステムの動作方法において、
各終端装置は、
加入者端末から受信したフレームに、端局装置との間で個別に付与されたアドレスを設定するアドレス領域、分割の有無および最後のフレームであるか否かを設定するフラグメント領域を含むヘッダを付加して端局装置への送信フレームを生成し、
前記送信フレームを端局装置から予め指定された送信期間中に送信できない場合、
前記送信フレームを分割するための分割位置を、前記送信フレームの送信データ領域内で前記送信期間に応じて決定し、
前記送信フレームと同一のフレーム構成をそれぞれ有し、前記送信フレームの前記分割位置より前側の送信データを含む分割フレーム、後側の送信データを含む後続分割フレームを生成し、
前記分割フレームを前記送信期間中に送信するとともに、前記後続分割フレームを次回以降の送信期間中に送信するために保持し、
端局装置は、
受信フレームの前記ヘッダに基づいて、終端装置により分割されたフレームの受信を検出し、
終端装置により分割されたフレームの受信を検出したときに、受信フレームのフラグメント領域が最後のフレームを示していない場合、その受信フレームを蓄積し、受信フレームのフラグメント領域が最後のフレームを示している場合、その受信フレームと蓄積しているフレームのうち受信フレームのアドレス領域が示す終端装置に対応するフレームとを用いて前記送信フレームを再構成することを特徴とする受動型光ネットワークシステムの動作方法。
【請求項６】
局側の端局装置と加入者側の複数の終端装置との間を光受動素子を用いて接続した受動型光ネットワークシステムの動作方法において、
各終端装置は、
加入者端末から受信したフレームに含まれる終端装置識別領域のデータを圧縮するとともに、データ圧縮により生じる終端装置識別領域の冗長部分に、分割の有無を設定する第１識別子、送信順序を設定する第２識別子および最後のフレームであるか否か設定する第３識別子を設けて端局装置への送信フレームを生成し、
前記送信フレームを端局装置から予め指定された送信期間中に送信できない場合、
前記送信フレームを分割するための分割位置を、前記送信フレームの送信データ領域内で前記送信期間に応じて決定し、
前記送信フレームと同一構成の終端装置識別領域をそれぞれ含み、前記送信フレームの前記分割位置より前側の送信データを含む分割フレームおよび後側の送信データを含む後続分割フレームを生成し、
前記分割フレームを前記送信期間中に送信するとともに、前記後続分割フレームを次回以降の送信期間中に送信するために保持し、
端局装置は、
受信フレームの終端装置識別領域の冗長部分に基づいて、終端装置により分割されたフレームの受信を検出し、
終端装置により分割されたフレームの受信を検出したときに、受信フレームの第３識別子が最後のフレームを示していない場合、その受信フレームを蓄積し、受信フレームの第３識別子が最後のフレームを示している場合、その受信フレームと蓄積しているフレームのうち受信フレームの終端装置識別領域が示す終端装置に対応するフレームとを用いて前記送信フレームを再構成することを特徴とする受動型光ネットワークシステムの動作方法。
【請求項７】
請求項６記載の受動型光ネットワークシステムの動作方法において、
各終端装置は、前記送信フレームの終端装置識別領域がフレームの開始を示すプリアンブル領域に含まれる場合、前記送信フレームの前記分割位置より前側部分と同一のフレーム構成を有する前記分割フレームを生成するとともに、前記送信フレームの分割位置より後側部分の先頭に前記送信フレームと同一構成のプリアンブル領域を付加したフレーム構成を有する前記後続分割フレームを生成することを特徴とする受動型光ネットワークシステムの動作方法。
【請求項８】
請求項６記載の受動型光ネットワークシステムの動作方法において、
各終端装置は、前記送信フレームと同一のフレーム構成をそれぞれ有する前記分割フレームおよび前記後続分割フレームを生成することを特徴とする受動型光ネットワークシステムの動作方法。
【発明の詳細な説明】
【技術分野】
【０００１】
本発明は、局側の端局装置（ＯＬＴ：Optical Line Termination）と加入者側の終端装置（ＯＮＵ：Optical Network Unit）との間を光受動素子（光分岐素子）を用いて接続した受動型光ネットワーク（ＰＯＮ：Passive Optical Network）システムおよび受動光ネットワークシステムの動作方法に関する。
【背景技術】
【０００２】
光加入者系アクセスシステムには、ＯＬＴ−ＯＮＵ間を点対点で接続するシングルスター構成とＯＬＴ−ＯＮＵ間を点対多点で接続するダブルスター構成とが存在する。ダブルスター構成の光加入者系アクセスシステムとしては、ＯＬＴと複数のＯＮＵとの間を光ファイバケーブルおよび光受動素子（光カプラ）を用いて接続したＰＯＮシステムが知られている。ＰＯＮシステムは、ＯＬＴ−ＯＮＵ間（ＰＯＮ区間）をＳＴＭ（Synchronous Transfer Mode；同期転送モード）方式で通信するＳＴＭ−ＰＯＮ、ＡＴＭ（Asynchronous Trannsfer Mode；非同期転送モード）方式で通信するＡＴＭ−ＰＯＮおよびＢ−ＰＯＮ（Broadband PON）、イーサネット（登録商標）方式で通信するＥ−ＰＯＮ（Ethernet（登録商標）PON）およびＧＥ−ＰＯＮ（Giga bit Ethernet PON）に大別される（例えば、特許文献１、２参照）。
【０００３】
ＰＯＮ区間をイーサネット方式で通信するＰＯＮシステムでは、ＯＬＴからＯＮＵへの下り方向通信には、ＴＤＭ（Time Division Multiplexing；時分割多重化）方式が採用され、ＯＮＵからＯＬＴへの上り方向通信には、複数のＯＮＵが一斉にフレームをＯＬＴに送信して光カプラ（ＯＮＵからのフレームを統合する箇所）でフレームの衝突が生じることを回避するために、ＴＤＭＡ（Time Division Multiple Access；時分割多元接続）方式が採用されている。ＴＤＭＡ方式を実現するために、ＯＬＴは、ＰＯＮ区間でのみ使用される制御フレームを各ＯＮＵへ適宜送信しており、各ＯＮＵは、ＯＬＴからの制御フレーム内で指定された送信開始時刻、送信期間（grant time）を読み取り、その送信開始時刻からの送信期間中にのみ、ＯＬＴにフレームを送信することができる。従って、各ＯＮＵは加入者端末から受信したフレームを送信開始時刻まで蓄積し、その送信開始時刻からの送信期間中、蓄積しているフレームをＯＬＴへ送信する。
【特許文献１】特開２００３−２４４１７８号公報
【特許文献２】特開２００３−２５８８８３号公報
【発明の開示】
【発明が解決しようとする課題】
【０００４】
前述のＰＯＮシステムでは、イーサネットフレームが可変長であり、ＯＬＴから各ＯＮＵへの送信時間の割り当てが難解であるため、ＯＬＴから予め指定される送信期間が各ＯＮＵに蓄積されているフレームの送信に要する時間と一致しない場合がある。ＯＬＴから予め指定された送信期間が各ＯＮＵに蓄積されているフレームの送信に要する時間より短い場合、各ＯＮＵは、蓄積しているフレームをその送信時間中に送信できない。この結果、ＯＬＴから各ＯＮＵに無駄な送信期間が割り当てられたことになり、ネットワーク帯域の無駄な占有が発生してしまう。従って、加入者端末からのフレームが各ＯＮＵで蓄積されている時間が増大し、加入者端末からのフレームの送信遅延時間が増大してしまう。
【０００５】
本発明は、このような従来の問題点に鑑みてなされたものであり、ネットワーク帯域を有効活用できるＰＯＮシステムおよびＰＯＮシステムの動作方法を提供することを目的とする。
【課題を解決するための手段】
【０００６】
請求項１の受動型光ネットワークシステムは、局側の端局装置と加入者側の複数の終端装置との間を光受動素子を用いて接続した受動型光ネットワークシステムにおいて、各終端装置は、加入者端末から受信したフレームに、端局装置との間で個別に付与されたアドレスを設定するアドレス領域、分割の有無および最後のフレームであるか否かを設定するフラグメント領域を含むヘッダを付加して端局装置への送信フレームを生成する送信フレーム生成手段と、前記送信フレームを端局装置から予め指定された送信期間中に送信できない場合、前記送信フレームを分割するための分割位置を、前記送信フレームの送信データ領域内で前記送信期間に応じて決定する分割位置決定手段と、前記送信フレームを前記送信期間内に送信できない場合、前記送信フレームと同一のフレーム構成をそれぞれ有し、前記送信フレームの前記分割位置より前側の送信データを含む分割フレーム、後側の送信データを含む後続分割フレームを生成するフレーム分割手段と、前記送信フレームを前記送信期間中に送信できない場合、前記分割フレームを前記送信期間中に送信するとともに、前記後続分割フレームを次回以降の送信期間中に送信するために保持するフレーム送信手段とを備え、端局装置は、受信フレームの前記ヘッダに基づいて、終端装置により分割されたフレームの受信を検出する分割フレーム検出手段と、前記分割フレーム検出手段の検出に応答して、受信フレームのフラグメント領域が最後のフレームを示していない場合、その受信フレームを蓄積し、受信フレームのフラグメント領域が最後のフレームを示している場合、その受信フレームと蓄積しているフレームのうち受信フレームのアドレス領域が示す終端装置に対応するフレームとを用いて前記送信フレームを再構成するフレーム結合手段とを備えていることを特徴とする。
【０００７】
請求項２の受動型光ネットワークシステムは、局側の端局装置と加入者側の複数の終端装置との間を光受動素子を用いて接続した受動型光ネットワークシステムにおいて、各終端装置は、加入者端末から受信したフレームに含まれる終端装置識別領域のデータを圧縮するとともに、データ圧縮により生じる終端装置識別領域の冗長部分に、分割の有無を設定する第１識別子、送信順序を設定する第２識別子および最後のフレームであるか否か設定する第３識別子を設けて端局装置への送信フレームを生成する送信フレーム生成手段と、前記送信フレームを端局装置から予め指定された送信期間中に送信できない場合、前記送信フレームを分割するための分割位置を、前記送信フレームの送信データ領域内で前記送信期間に応じて決定する分割位置決定手段と、前記送信フレームを前記送信期間中に送信できない場合、前記送信フレームと同一構成の終端装置識別領域をそれぞれ含み、前記送信フレームの前記分割位置より前側の送信データを含む分割フレームおよび後側の送信データを含む後続分割フレームを生成するフレーム分割手段と、前記送信フレームを前記送信期間中に送信できない場合、前記分割フレームを前記送信期間中に送信するとともに、前記後続分割フレームを次回以降の送信期間中に送信するために保持するフレーム送信手段とを備え、端局装置は、受信フレームの終端装置識別領域の冗長部分に基づいて、終端装置により分割されたフレームの受信を検出する分割フレーム検出手段と、前記分割フレーム検出手段の検出に応答して、受信フレームの第３識別子が最後のフレームを示していない場合、その受信フレームを蓄積し、受信フレームの第３識別子が最後のフレームを示している場合、その受信フレームと蓄積しているフレームのうち受信フレームの終端装置識別領域が示す終端装置に対応するフレームとを用いて前記送信フレームを再構成するフレーム結合手段とを備えていることを特徴とする。
【０００８】
請求項３の受動型光ネットワークシステムは、請求項２記載の受動型光ネットワークシステムにおいて、前記送信フレームの終端装置識別領域は、フレームの開始を示すプリアンブル領域に含まれ、前記フレーム分割手段は、前記送信フレームの前記分割位置より前側部分と同一のフレーム構成を有する前記分割フレームを生成するとともに、前記送信フレームの分割位置より後側部分の先頭に前記送信フレームと同一構成のプリアンブル領域を付加したフレーム構成を有する前記後続分割フレームを生成することを特徴とする。
【０００９】
請求項４の受動型光ネットワークシステムは、請求項２記載の受動型光ネットワークシステムにおいて、前記フレーム分割手段は、前記送信フレームと同一のフレーム構成をそれぞれ有する前記分割フレームおよび前記後続分割フレームを生成することを特徴とする。
請求項５の受動型光ネットワークシステムの動作方法は、局側の端局装置と加入者側の複数の終端装置との間を光受動素子を用いて接続した受動型光ネットワークシステムの動作方法において、各終端装置は、加入者端末から受信したフレームに、端局装置との間で個別に付与されたアドレスを設定するアドレス領域、分割の有無および最後のフレームであるか否かを設定するフラグメント領域を含むヘッダを付加して端局装置への送信フレームを生成し、前記送信フレームを端局装置から予め指定された送信期間中に送信できない場合、前記送信フレームを分割するための分割位置を、前記送信フレームの送信データ領域内で前記送信期間に応じて決定し、前記送信フレームと同一のフレーム構成をそれぞれ有し、前記送信フレームの前記分割位置より前側の送信データを含む分割フレーム、後側の送信データを含む後続分割フレームを生成し、前記分割フレームを前記送信期間中に送信するとともに、前記後続分割フレームを次回以降の送信期間中に送信するために保持し、端局装置は、受信フレームの前記ヘッダに基づいて、終端装置により分割されたフレームの受信を検出し、終端装置により分割されたフレームの受信を検出したときに、受信フレームのフラグメント領域が最後のフレームを示していない場合、その受信フレームを蓄積し、受信フレームのフラグメント領域が最後のフレームを示している場合、その受信フレームと蓄積しているフレームのうち受信フレームのアドレス領域が示す終端装置に対応するフレームとを用いて前記送信フレームを再構成することを特徴とする。
【００１０】
請求項６の受動型光ネットワークシステムの動作方法は、局側の端局装置と加入者側の複数の終端装置との間を光受動素子を用いて接続した受動型光ネットワークシステムの動作方法において、各終端装置は、加入者端末から受信したフレームに含まれる終端装置識別領域のデータを圧縮するとともに、データ圧縮により生じる終端装置識別領域の冗長部分に、分割の有無を設定する第１識別子、送信順序を設定する第２識別子および最後のフレームであるか否か設定する第３識別子を設けて端局装置への送信フレームを生成し、前記送信フレームを端局装置から予め指定された送信期間中に送信できない場合、前記送信フレームを分割するための分割位置を、前記送信フレームの送信データ領域内で前記送信期間に応じて決定し、前記送信フレームと同一構成の終端装置識別領域をそれぞれ含み、前記送信フレームの前記分割位置より前側の送信データを含む分割フレームおよび後側の送信データを含む後続分割フレームを生成し、前記分割フレームを前記送信期間中に送信するとともに、前記後続分割フレームを次回以降の送信期間中に送信するために保持し、端局装置は、受信フレームの終端装置識別領域の冗長部分に基づいて、終端装置により分割されたフレームの受信を検出し、終端装置により分割されたフレームの受信を検出したときに、受信フレームの第３識別子が最後のフレームを示していない場合、その受信フレームを蓄積し、受信フレームの第３識別子が最後のフレームを示している場合、その受信フレームと蓄積しているフレームのうち受信フレームの終端装置識別領域が示す終端装置に対応するフレームとを用いて前記送信フレームを再構成することを特徴とする。
【００１１】
請求項７の受動型光ネットワークシステムの動作方法は、請求項６記載の受動型光ネットワークシステムの動作方法において、各終端装置は、前記送信フレームの終端装置識別領域がフレームの開始を示すプリアンブル領域に含まれる場合、前記送信フレームの前記分割位置より前側部分と同一のフレーム構成を有する前記分割フレームを生成するとともに、前記送信フレームの分割位置より後側部分の先頭に前記送信フレームと同一構成のプリアンブル領域を付加したフレーム構成を有する前記後続分割フレームを生成することを特徴とする。
【００１２】
請求項８の受動型光ネットワークシステムの動作方法は、請求項６記載の受動型光ネットワークシステムの動作方法において、各終端装置は、前記送信フレームと同一のフレーム構成をそれぞれ有する前記分割フレームおよび前記後続分割フレームを生成することを特徴とする。
【発明の効果】
【００１３】
請求項１の受動型光ネットワークシステムおよび請求項５の受動型光ネットワークシステムの動作方法では、各終端装置は、送信フレームを端局装置から予め指定された送信期間中に送信できない場合、送信フレームを送信期間に応じて分割して端局装置に送信する。端局装置は、受信フレームのヘッダ（フラグメント領域）に基づいて終端装置により分割されたフレームを結合して各終端装置における送信フレームを再構成する。このため、端局装置から予め指定された送信期間が各終端装置における送信フレームの送信に要する時間より短い場合にも、各終端装置は、端局装置から予め指定された送信期間を無駄にすることなくフレーム送信動作を実施できる。この結果、ネットワーク帯域の無駄な占有を回避でき、加入者端末からのフレームの送信遅延時間を低減できる。
【００１４】
請求項２の受動型光ネットワークシステムおよび請求項６の受動型光ネットワークシステムの動作方法では、各終端装置は、送信フレームを端局装置から予め指定された送信期間中に送信できない場合、送信フレームを送信期間に応じて分割して端局装置に送信する。端局装置は、受信フレームの終端装置識別領域の冗長部分（第１〜第３識別子）に基づいて終端装置により分割されたフレームを結合して各終端装置における送信フレームを再構成する。このため、端局装置から予め指定された送信期間が各終端装置における送信フレームの送信に要する時間より短い場合にも、各終端装置は、端局装置から予め指定された送信期間を無駄にすることなくフレーム送信動作を実施できる。この結果、ネットワーク帯域の無駄な占有を回避でき、加入者端末からのフレームの送信遅延時間を低減できる。また、加入者端末から受信したフレームに含まれる終端装置識別子領域のデータを圧縮して生じる冗長部分に、分割の有無などのフレーム分割情報（第１〜第３識別子）を設定するため、分割フレームおよび後続分割フレームのフレーム長を増大させることなくフレーム分割情報を設定できる。
【００１５】
請求項３の受動型光ネットワークシステムおよび請求項７の受動型光ネットワークシステムの動作方法では、送信フレームの分割位置より前側部分をそのまま用いて分割フレームを生成でき、送信フレームの分割位置より後側部分にプリアンブル領域を付加するだけで後続分割フレームを生成できるため、送信フレームを容易に分割できる。
請求項４の受動型光ネットワークシステムおよび請求項８の受動型光ネットワークシステムの動作方法では、分割フレームおよび後続分割フレームは、送信フレームと同一のフレーム構成をそれぞれ有しているため、各終端装置に複数の加入者端末が接続されている場合に、各終端装置がある加入者端末に対応する分割フレームと後続分割フレームとの間に、別の加入者端末に対応する分割フレームおよび後続分割フレームを挿入して送信しても、端局装置は、ある加入者端末に対応する送信フレームと別の加入者端末に対応する送信フレームとをそれぞれ再構成できる。このため、各終端装置は、加入者端末間に送信優先度の高低がある場合に、送信優先度の高い加入者端末に対応する送信フレームを優先して送信することができる。
【発明を実施するための最良の形態】
【００１６】
以下、図面を用いて本発明の実施形態を説明する。
図１は、本発明の第１の実施形態を示している。ＰＯＮシステム１００では、加入者宅内にそれぞれ設置された複数（例えば、３２台）のＯＮＵ２００と通信事業者局内に設置されたＯＬＴ３００とは、光ファイバケーブルおよび光カプラ４００（光受動素子）を用いて接続されている。各ＯＮＵ２００は、加入者端末として機能する２台のＰＣ（パーソナルコンピュータ）２１０およびＶｏＩＰ（Voice over Internet Protocol）端末２２０に接続されている。ＶｏＩＰ端末２２０は、音声通話用の端末であり、リアルタイム性の高い通信を実現するために、ＶｏＩＰ端末２２０から送信されるフレームには、低遅延のフレーム転送が要求されている。ＯＬＴ３００は、通信事業者局内で上位機器に接続されている。また、ＰＯＮシステム１００は、ＯＬＴ３００−ＯＮＵ２００間（ＰＯＮ区間）をイーサネットで通信するＰＯＮシステムであり、ＯＬＴ３００からＯＮＵ２００への下り方向通信にＴＤＭ方式を採用し、ＯＮＵ２００からＯＬＴ３００への上り方向通信にＴＤＭＡ方式を採用している。
【００１７】
図２は、加入者端末から送信されるユーザデータフレームのフレーム構成を示している。加入者端末（ＰＣ２１０およびＶｏＩＰ端末２２０）から送信されるユーザデータフレームは、フレームの開始を示す８バイトのＰＲＥ（PREamble）フィールド、宛先アドレスを示す６バイトのＤＡ（Destination Address）フィールド、送信元アドレスを示す６バイトのＳＡ（Source Address）フィールド、後続の送信データの長さあるいは上位層のプロトコルタイプを示す２バイトのＴ／Ｌ（Type/Length）フィールド、送信データを格納する４６〜１５００バイトのＤＡＴＡフィールド、フレームの誤り検出に使用される４バイトのＦＣＳ（Frame Check Sequence）フィールドから構成されている。
【００１８】
図３は、第１の実施形態のＯＮＵ２００の構成例を示している。
各ＯＮＵ２００は、光電変換や電光変換等を実施してＰＯＮ区間のインタフェースとして機能するＰＯＮＩ／Ｆ部（ＰＯＮインタフェース部）２０１、信号の復号化処理を実施する復号化器２０２、信号の符号化処理を実施する符号化器２０３、ＰＯＮ区間の通信に関連した各種処理を実施するＰＯＮ処理部２０４（フレーム送信手段）、ＰＯＮ処理部２０４に接続されたメモリ２０５、Ethernet通信に関連した各種処理を実施するEthernet処理部２０６、Ethernet処理部２０６に接続されたメモリ２０７、ＩＰ処理部２０８（送信フレーム生成手段、分割位置決定手段、フレーム分割手段）、ＩＰ処理部２０８に接続されたメモリ１０９を有している。
【００１９】
ＩＰ処理部２０８は、ＰＣ２１０およびＶＯＩＰ端末２２０からのユーザデータフレーム（図２）を受信すると、そのユーザデータフレームにＩＰヘッダを付加した送信フレームを生成してメモリ２０９に格納する。送信フレームに付加されるＩＰヘッダは、ＯＬＴ３００との間で個別に付与されたＩＰアドレスを設定するＩＰアドレス領域と、分割の有無および最後のフレームであるか否かを設定するフラグメント領域とを含んでいる。ＩＰ処理部２０８は、ＰＯＮ処理部２０４から予め通知された送信期間中にメモリ２０９に格納されている送信フレームを送信できる場合、その送信フレームをEthernet処理部２０６に転送する。また、ＩＰ処理部２０８は、ＰＯＮ処理部２０４から予め通知された送信期間中にメモリ２０９に格納されている送信フレームを送信できない場合、送信フレームを分割するための分割位置を、送信フレームのＤＡＴＡフィールド内で送信期間に応じて決定する。そして、ＩＰ処理部２０８は、送信フレームと同一のフレーム構成をそれぞれ有し、送信フレームの分割位置より前側の送信データを含む分割フレーム、後側の送信データを含む後続分割フレームを生成してメモリ２０９に格納する。この後、ＩＰ処理部２０８は、メモリ２０９に格納されている分割フレームをEthernet処理部２０６に転送する。また、ＩＰ処理部２０８は、次回の送信期間の通知に応答して、メモリ２０９に格納されている後続分割フレームをＯＬＴ３００に送信するために、Ethernet処理部２０６に転送する。
【００２０】
ＰＯＮ処理部２０４は、ＯＬＴ３００から適宜送信される送信開始時刻および送信期間を含む制御フレームをＰＯＮＩ／Ｆ部２０１および復号化器２０２を介して受信すると、ＯＬＴ３００から予め指定された送信開始時刻および送信期間をＩＰ処理部２０９に通知する。ここで、送信期間は、各ＯＮＵ２００が送信フレームをＯＬＴ３００に送信するために、ＯＬＴ３００から割り当てられる期間を示す。また、ＰＯＮ処理部２０４は、Ethernet処理部２０６を介してＩＰ処理部２０９からの送信フレーム（分割フレームを含む）を受信すると、その送信フレームをメモリ２０５に格納する。そして、ＰＯＮ処理部２０４は、ＯＬＴ３００から予め指定された送信開始時刻になると、メモリ２０５に格納されている送信フレームをＯＬＴ３００から予め指定された送信期間中に、符号器２０３およびＰＯＮＩ／Ｆ部２０１を介してＯＬＴ３００に送信する。
【００２１】
図４は、第１の実施形態のＯＬＴ３００の構成例を示している。
ＯＬＴ３００は、光電変換や電光変換等を実施してＰＯＮ区間のインタフェースとして機能するＰＯＮＩ／Ｆ部３０１、信号の復号化処理を実施する復号化器３０２、信号の符号化処理を実施する符号化器３０３、ＰＯＮ区間の通信に関連した各種処理を実施するＰＯＮ処理部３０４、ＰＯＮ処理部３０４に接続されたメモリ３０５、Ethernet通信に関連した各種処理を実施するEthernet処理部３０６、Ethernet処理部２０６に接続されたメモリ３０７、ＩＰ処理部３０８（分割フレーム検出手段、フレーム結合手段）、ＩＰ処理部３０８に接続されたメモリ３０９を有している。
【００２２】
ＰＯＮ処理部３０４は、光カプラ４００でフレームの衝突が発生することを回避するために、各ＯＮＵ１００に予め指定する送信開始時刻および送信時間を含む制御フレームを生成し、符号化器３０３およびＰＯＮＩ／Ｆ部３０１を介して各ＯＮＵ１００に適宜送信している。
ＩＰ処理部３０８は、各ＯＮＵ１００からの送信フレームを、ＰＯＮＩ／Ｆ部３０１、復号化器３０２、ＰＯＮ処理部３０４およびEthernet処理部３０６を介して受信すると、その送信フレームを受信フレームとしてメモリ３０９に格納する。ＩＰ処理部３０８は、受信フレームのＩＰヘッダに含まれるフラグメント領域が”フレーム分割無し”を示している場合、メモリ３０９に格納されている受信フレームをそのまま通信事業者局内の上位機器に送信する。また、ＩＰ処理部３０８は、受信フレームのＩＰヘッダに含まれるフラグメント領域が”フレーム分割有り”を示している場合、各ＯＮＵ２００により分割されたフレームの受信を認識する。そして、ＩＰ処理部３０８は、各ＯＮＵ２００により分割されたフレームの受信を認識すると、受信フレームのＩＰヘッダに含まれるフラグメント領域が最後のフレームを示していない場合、その受信フレームをメモリ３０９に格納したままにする。また、ＩＰ処理部３０８は、受信フレームのＩＰヘッダに含まれるフラグメント領域が最後のフレームを示している場合、その受信フレームと、メモリ３０９に格納されているフレームのうち受信フレームに含まれるアドレス領域のＩＰアドレスが示すＯＮＵ２００からの受信フレームとを用いて、ＯＮＵ２００における送信フレームを再構成して通信事業者局内の上位機器に送信する。
【００２３】
図５は、第１の実施形態のＯＮＵ２００におけるフレーム分割処理の概要を示している。
各ＯＮＵ２００のＩＰ処理部２０８は、ＰＣ２１０およびＶＯＩＰ端末２２０からのユーザデータフレームＵＦを受信すると、そのユーザデータフレームＵＦにＩＰヘッダ（ＩＰＨ）を付加した送信フレームＳＦを生成する。ＩＰ処理部２０８は、ＰＯＮ処理部２０４から予め通知された送信期間ＧＴ１中に送信フレームＳＦを送信できない場合、送信フレームＳＦを分割するための分割位置ＤＰを、送信フレームＳＦのＤＡＴＡフィールド内で送信期間ＧＴ１に応じて決定する。そして、ＩＰ処理部２０８は、送信フレームＳＦと同一のフレーム構成（ＰＲ、ＤＡ、ＳＡ、ＩＰＨ、ＤＡＴＡ、ＦＣＳを含むフレーム構成）をそれぞれ有し、送信フレームＳＦの分割位置ＤＰより前側の送信データＳＤ１を含む分割フレームＤＦ１、後側の送信データＳＤ２を含む後続分割フレームをＤＦ２生成する。この後、ＩＰ処理部２０８は、分割フレームＤＦ１をEthernet処理部２０６に転送する。すなわち、分割フレームＤＦ１は、送信期間ＧＴ１中にＯＬＴ３００に送信される。また、ＩＰ処理部２０８は、次回の送信期間ＧＴ２の通知に応答して、メモリ２０９に格納されている後続分割フレームをＯＬＴ３００に送信するために、Ethernet処理部２０６に転送する。すなわち、分割フレームＤＦ２は、送信期間ＧＴ２中にＯＬＴ３００に送信される。
【００２４】
以上、第１の実施形態では、各ＯＮＵ２００は、送信フレームＳＦをＯＬＴ３００から予め指定された送信期間ＧＴ１中に送信できない場合、送信フレームＳＦを送信期間ＧＴ１に応じて分割してＯＬＴ３００に送信する。ＯＬＴ３００は、受信フレームのＩＰヘッダ（フラグメント領域）に基づいて各ＯＮＵ２００により分割されたフレームを結合して各ＯＮＵ２００における送信フレームＳＦを再構成する。このため、ＯＬＴ３００から予め指定された送信期間ＧＴ１が送信フレームＳＦの送信に要する時間より短い場合にも、各ＯＮＵ２００は、ＯＬＴ３００から予め指定された送信期間ＧＴ１を無駄にすることなくフレーム送信動作を実施できる。このため、ネットワーク帯域の無駄な占有を回避でき、加入者端末（ＰＣ２１０およびＶｏＩＰ端末２２０）からのフレームの送信遅延時間を低減できる。
【００２５】
図６および図７は、本発明の第２の実施形態を示している。なお、第１の実施形態で説明した要素と同一の要素については、同一の符号を付し、詳細な説明を省略する。
本実施形態のＰＯＮシステムは、第１の実施形態のＰＯＮシステム１００におけるＯＮＵ２００およびＯＬＴ３００に代えて、ＯＮＵ２００ａおよびＯＬＴ３００ａを有している。なお、本実施形態では、加入者端末（ＰＣ２１０およびＶｏＩＰ端末２２０）から送信されるユーザデータフレームのＰＲフィールド（プリアンブル領域）に、ＯＮＵ２００ａは、１バイトのＯＮＵ識別領域（終端装置識別領域）を付与している。
【００２６】
図６は、第２の実施形態のＯＮＵ２００ａの構成例を示している。
ＯＮＵ２００ａは、第１の実施形態のＯＮＵ２００からＩＰ処理部２０８およびメモリ２０９を除き、第１の実施形態のＰＯＮ処理部２０４に代えてＰＯＮ処理部２０４ａ（送信フレーム生成手段、分割位置決定手段、フレーム分割手段、フレーム送信手段）を有している。
【００２７】
ＰＯＮ処理部２０４ａは、ＯＬＴ３００ａから適宜送信される送信開始時刻および送信期間を含む制御フレームをＰＯＮＩ／Ｆ部２０１および復号化器２０２を介して受信している。ＰＯＮ処理部２０４ａは、ＰＣ２１０およびＶＯＩＰ端末２２０からのユーザデータフレームをEthernet処理部２０６を介して受信すると、そのユーザデータフレームにＯＮＵ識別領域のデータを圧縮して付与するとともに、データ圧縮により生じるＯＮＵ識別領域の冗長部分に、分割の有無を設定する第１識別子、送信順序を設定する第２識別子および最後のフレームであるか否か設定する第３識別子を設けて送信フレームを生成してメモリ２０５に格納する。
【００２８】
ＰＯＮ処理部２０４ａは、ＯＬＴ３００ａから予め通知された送信期間中にメモリ２０５に格納されている送信フレームを送信できる場合、送信開始時刻まで待機する。また、ＰＯＮ処理部２０４ａは、ＯＬＴ３００ａから予め通知された送信期間中にメモリ２０５に格納されている送信フレームを送信できない場合、送信フレームを分割するための分割位置を、送信フレームのＤＡＴＡフィールド内で送信期間に応じて決定する。そして、ＰＯＮ処理部２０４ａは、送信フレームと同一構成のＯＮＵ識別領域をそれぞれ含み、送信フレームの分割位置より前側の送信データを含む分割フレーム、後側の送信データを含む後続分割フレームを生成してメモリ２０５に格納する。ＰＯＮ処理部２０４ａは、ＯＬＴ３００ａから予め指定された送信開始時刻になると、メモリ２０５に格納されているフレーム（分割後続フレームを除く）をＯＬＴ３００ａから予め指定された送信期間中に、符号器２０３およびＰＯＮＩ／Ｆ部２０１を介してＯＬＴ３００ａに送信する。また、ＰＯＮ処理部２０４ａは、メモリ２０５に格納されている後続分割フレームを次回の送信期間中に、符号器２０３およびＰＯＮＩ／Ｆ部２０１を介してＯＬＴ３００ａに送信する。
【００２９】
図７は、第２の実施形態のＯＬＴ３００ａの構成例を示している。
ＯＮＵ３００ａは、第１の実施形態のＯＮＵ３００からＩＰ処理部３０８およびメモリ２０９の除き、第１の実施形態のＰＯＮ処理部３０４に代えてＰＯＮ処理部３０４ａ（分割フレーム検出手段、フレーム結合手段）を有している。
ＰＯＮ処理部３０４ａは、光カプラ４００でフレームの衝突が発生することを回避するために、各ＯＮＵ２００ａに予め指定する送信開始時刻および送信時間を含む制御フレームを生成し、符号化器３０３およびＰＯＮＩ／Ｆ部３０１を介して各ＯＮＵ１００に適宜送信している。
【００３０】
ＰＯＮ処理部３０４ａは、各ＯＮＵ２００ａからの送信フレームを、ＰＯＮＩ／Ｆ部３０１および復号化器３０２を介して受信すると、その送信フレームを受信フレームとしてメモリ３０５に格納する。ＰＯＮ処理部３０４ａは、受信フレームのＯＮＵ識別領域に含まれる第１識別子が”フレーム分割無し”を示している場合、メモリ３０５に格納されている受信フレームをEthenet処理部３０６を介してそのまま通信事業者局内の上位機器に送信する。また、ＰＯＮ処理部３０４ａは、受信フレームのＯＮＵ識別領域に含まれる第１識別子が”フレーム分割有り”を示している場合、各ＯＮＵ２００ａにより分割されたフレームの受信を認識する。そして、ＰＯＮ処理部３０４ａは、各ＯＮＵ２００ａにより分割されたフレームの受信を認識すると、受信フレームのＯＮＵ識別領域に含まれる第３識別子が最後のフレームを示していない場合、その受信フレームをメモリ３０５に格納したままにする。また、ＰＯＮ処理部３０４ａは、受信フレームのＯＮＵ識別領域に含まれる第３識別子が最後のフレームを示している場合、その受信フレームと、メモリ３０５に格納されているフレームのうち受信フレームのＯＮＵ識別領域が示すＯＮＵ２００ａからの受信フレームとを用いて、各ＯＮＵ２００における送信フレームを再構成してEthernet処理部３０６を介して通信事業者局内の上位機器に送信する。
【００３１】
図８および９は、第２の実施形態のＯＮＵ２００ａにおけるフレーム分割処理の概要を示している。
図８において、ＰＯＮ処理部２０４ａは、ＰＣ２１０およびＶＯＩＰ端末２２０からのユーザデータフレームをEthernet処理部２０６を介して受信すると、そのユーザデータフレームにＯＮＵ識別領域ＩＤのデータを５ビットのデータＣＤに圧縮して付与するとともに、データ圧縮により生じるＯＮＵ識別領域ＩＤの冗長部分に、分割の有無を設定する第１識別子Ｂ１、送信順序を設定する第２識別子Ｂ２および最後のフレームであるか否か設定する第３識別子Ｂ３を設けて送信フレームを生成する。なお、ＯＬＴ３００に接続されるＯＮＵ２００は３２台であるため、ユーザデータフレームに含まれるＯＮＵ識別領域ＩＤのデータを５ビットのデータに圧縮できる。
【００３２】
図９において、ＰＯＮ処理部２０４ａは、ＯＬＴ３００ａから予め通知された送信期間ＧＴ１中に送信フレームＳＦを送信できない場合、送信フレームＳＦを分割するための分割位置ＤＰを、送信フレームＳＦのＤＡＴＡフィールド内で送信期間ＧＴ１に応じて決定する。そして、ＰＯＮ処理部２０４ａは、送信フレームＳＦと同一構成のＯＮＵ識別領域ＩＤをそれぞれ含み、送信フレームＳＦの分割位置ＤＰより前側の送信データＳＤ１を含む分割フレームＤＦ１、後側の送信データＳＤ２を含む後続分割フレームＤＦ２を生成する。具体的には、ＰＯＮ処理部２０４ａは、送信フレームＳＦの分割位置ＤＰより前側部分と同一のフレーム構成を有する分割フレームＤＦ１を生成するとともに、送信フレームＳＦの分割位置ＤＰより後側部分の先頭に送信フレームＳＦと同一構成のＰＲフィールドを付加したフレーム構成を有する後続分割フレームＤＦ２を生成する。ＰＯＮ処理部２０４は、ＯＬＴ３００ａから予め指定された送信開始時刻になると、分割フレームＤＦ１をＯＬＴ３００から予め指定された送信期間ＧＴ１中に、符号器２０３およびＰＯＮＩ／Ｆ部２０１を介してＯＬＴ３００ａに送信する。また、ＰＯＮ処理部２０４ａは、後続分割フレームＤＦ２を次回の送信期間ＧＴ２中に、符号器２０３およびＰＯＮＩ／Ｆ部２０１を介してＯＬＴ３００ａに送信する。
【００３３】
以上、第２の実施形態では、各ＯＮＵ２００は、送信フレームＳＦをＯＬＴ３００ａから予め指定された送信期間ＧＴ１中に送信できない場合、送信フレームＳＦを送信期間ＧＴ１に応じて分割してＯＬＴ３００ａに送信する。ＯＬＴ３００ａは、受信フレームのＯＮＵ識別領域ＩＤの冗長部分（第１〜第３識別子Ｂ１〜Ｂ３）に基づいて各ＯＮＵ２００ａにより分割されたフレームを結合して各ＯＮＵ２００ａにおける送信フレームＳＦを再構成する。このため、ＯＬＴ３００ａから予め指定された送信期間ＧＴ１が各ＯＮＵ２００ａにおける送信フレームＳＦの送信に要する時間より短い場合にも、各ＯＮＵ２００ａは、ＯＬＴ３００ａから予め指定された送信期間ＧＴ１を無駄にすることなくフレーム送信動作を実施できる。このため、ネットワーク帯域の無駄な占有を回避でき、加入者端末（ＰＣ２１０およびＶｏＩＰ端末２２０）からのフレームの送信遅延時間を低減できる。
【００３４】
また、ＯＮＵ識別領域ＩＤのデータを５ビットのデータＣＤに圧縮して生じる冗長部分に、分割の有無などのフレーム分割情報（第１〜第３識別子Ｂ１〜Ｂ３）を設定するため、分割フレームＤＦ１および後続分割フレームＤＦ２のフレーム長を増大させることなくフレーム分割情報を設定できる。さらに、送信フレームＳＦの分割位置ＤＰより前側部分をそのまま用いて分割フレームＤＦ１を生成でき、送信フレームＳＦの分割位置ＤＰより後側部分にＰＲフィールドを付加するだけで後続分割フレームＤＦ２を生成できるため、送信フレームＳＦを容易に分割できる。
【００３５】
図１０および図１１は、本発明の第３の実施形態を示している。なお、第１および第２の実施形態で説明した要素と同一の要素については、同一の符号を付し、詳細な説明を省略する。
本実施形態のＰＯＮシステムは、第２の実施形態のＰＯＮシステムにおけるＯＮＵ２００ａおよびＯＬＴ３００ａに代えて、ＯＮＵ２００ｂおよびＯＬＴ３００ｂを有している。なお、本実施形態では、第２の実施形態と同様に、加入者端末（ＰＣ２１０およびＶｏＩＰ端末２２０）から送信されるユーザデータフレームのＰＲフィールドに、ＯＮＵ２００ｂは、１バイトのＯＮＵ識別領域（終端装置識別領域）を付与している。
【００３６】
図１０は、第３の実施形態のＯＮＵ２００ｂの構成例を示している。
ＯＮＵ２００ｂは、第２の実施形態のＰＯＮ処理部２０４ａに代えて、ＰＯＮ処理部２０４ｂ（送信フレーム生成手段、分割位置決定手段、フレーム分割手段、フレーム送信手段）を有している。ＯＮＵ２００ｂのその他の構成は、第２の実施形態のＯＮＵ２００ａと同一である。
【００３７】
ＰＯＮ処理部２０４ｂは、ＯＬＴ３００ｂから適宜送信される送信開始時刻および送信期間を含む制御フレームをＰＯＮＩ／Ｆ部２０１および復号化器２０２を介して受信している。ＰＯＮ処理部２０４ｂは、ＰＣ２１０およびＶＯＩＰ端末２２０からのユーザデータフレームをEthernet処理部２０６を介して受信すると、そのユーザデータフレームにＯＮＵ識別領域のデータを圧縮して付与するとともに、データ圧縮により生じるＯＮＵ識別領域の冗長部分に、分割の有無を設定する第１識別子、送信順序を設定する第２識別子および最後のフレームであるか否か設定する第３識別子を設けて送信フレームを生成してメモリ２０５に格納する。
【００３８】
ＰＯＮ処理部２０４ｂは、ＯＬＴ３００ｂから予め通知された送信期間中にメモリ２０５に格納されている送信フレームを送信できる場合、送信開始時刻まで待機する。また、ＰＯＮ処理部２０４ｂは、ＯＬＴ３００予め通知された送信期間中にメモリ２０５に格納されている送信フレームを送信できない場合、送信フレームを分割するための分割位置を、送信フレームのＤＡＴＡフィールド内で送信期間に応じて決定する。そして、ＰＯＮ処理部２０４ｂは、送信フレームと同一構成のＯＮＵ識別領域をそれぞれ含み、送信フレームの分割位置より前側の送信データを含む分割フレーム、後側の送信データを含む後続分割フレームを生成してメモリ２０５に格納する。ＰＯＮ処理部２０４ｂは、ＯＬＴ３００ｂから予め指定された送信開始時刻になると、メモリ２０５に格納されているフレーム（分割後続フレームを除く）をＯＬＴ３００ｂから予め指定された送信期間中に、符号器２０３およびＰＯＮＩ／Ｆ部２０１を介してＯＬＴ３００に送信する。また、ＰＯＮ処理部２０４ｂは、メモリ２０５に格納されている後続分割フレームを次回の送信期間中に、符号器２０３およびＰＯＮＩ／Ｆ部２０１を介してＯＬＴ３００ｂに送信する。
【００３９】
図１１は、第３の実施形態のＯＬＴ３００ｂの構成例を示している。
ＯＬＴ３００ｂは、第２の実施形態のＰＯＮ処理部３０４ａに代えてＰＯＮ処理部３０４ｂ（分割フレーム検出手段、フレーム結合手段）を有している。ＯＬＴ３００ｂのその他の構成は、第２の実施形態のＯＬＴ３００ｂと同一である。
ＰＯＮ処理部３０４ｂは、光カプラ４００でフレームの衝突が発生することを回避するために、各ＯＮＵ２００ｂに予め指定する送信開始時刻および送信時間を含む制御フレームを生成し、符号化器３０３およびＰＯＮＩ／Ｆ部３０１を介して各ＯＮＵ２００ｂに適宜送信している。
【００４０】
ＰＯＮ処理部３０４ｂは、各ＯＮＵ２００ｂからの送信フレームを、ＰＯＮＩ／Ｆ部３０１および復号化器３０２を介して受信すると、その送信フレームを受信フレームとしてメモリ３０５に格納する。ＰＯＮ処理部３０４ｂは、受信フレームのＯＮＵ識別領域に含まれる第１識別子が”フレーム分割無し”を示している場合、メモリ３０５に格納されている受信フレームをEthenet処理部３０６を介してそのまま通信事業者局内の上位機器に送信する。また、ＰＯＮ処理部３０４ｂは、受信フレームのＯＮＵ識別領域に含まれる第１識別子が”フレーム分割有り”を示している場合、各ＯＮＵ２００ｂにより分割されたフレームの受信を認識する。そして、ＰＯＮ処理部３０４ｂは、各ＯＮＵ２００ｂにより分割されたフレームの受信を認識すると、受信フレームのＯＮＵ識別領域に含まれる第３識別子が最後のフレームを示していない場合、その受信フレームをメモリ３０５に格納したままにする。また、ＰＯＮ処理部３０４ｂは、受信フレームのＯＮＵ識別領域に含まれる第３識別子が最後のフレームを示している場合、その受信フレームと、メモリ３０５に格納されているフレームのうち受信フレームのＯＮＵ識別領域が示すＯＮＵ２００ｂからの受信フレームとを用いて、各ＯＮＵ２００ｂにおける送信フレームを再構成してEthernet処理部３０６を介して通信事業者局内の上位機器に送信する。
【００４１】
図１２は、第３の実施形態のＯＮＵ２００ｂにおけるフレーム分割処理の概要を示している。
ＰＯＮ処理部２０４ｂは、ＯＬＴ３００ｂから予め通知された送信期間ＧＴ１中に送信フレームＳＦを送信できない場合、送信フレームＳＦを分割するための分割位置ＤＰを、送信フレームＳＦのＤＡＴＡフィールド内で送信期間ＧＴ１に応じて決定する。そして、ＰＯＮ処理部２０４ｂは、送信フレームＳＦと同一構成のＯＮＵ識別領域ＩＤをそれぞれ含み、送信フレームＳＦの分割位置ＤＰより前側の送信データＳＤ１を含む分割フレームＤＦ１、後側の送信データＳＤ２を含む後続分割フレームＤＦ２を生成する。具体的には、ＰＯＮ処理部２０４ａは、送信フレームＳＦと同一のフレーム構成（ＰＲ（ＩＤを含む）、ＤＡ、ＳＡ、Ｔ／Ｌ、ＤＡＴＡ、ＦＣＳを含むフレーム構成）をそれぞれ有する分割フレームＤＦ１および後続分割フレームＤＦ２を生成する。ＰＯＮ処理部２０４ｂは、ＯＬＴ３００ｂから予め指定された送信開始時刻になると、分割フレームＤＦ１をＯＬＴ３００ｂから予め指定された送信期間ＧＴ１中に、符号器２０３およびＰＯＮＩ／Ｆ部２０１を介してＯＬＴ３００ｂに送信する。また、ＰＯＮ処理部２０４ｂは、後続分割フレームＤＦ２を次回の送信期間ＧＴ２中に、符号器２０３およびＰＯＮＩ／Ｆ部２０１を介してＯＬＴ３００ｂに送信する。
【００４２】
以上、第３の実施形態でも、第２の実施形態と同様の効果が得られる。さらに、分割フレームＤＦ１および後続分割フレームＤＦ２は、送信フレームＳＦと同一のフレーム構成をそれぞれ有しているため、各ＯＮＵ２００ｂがＰＣ２１０に対応する分割フレームＤＦ１と後続分割フレームＤＦ２との間にＶｏＩＰ端末２２０に対応する分割フレームおよび後続分割フレームを挿入して送信しても、ＯＬＴ３００ｂは、ＰＣ２１０に対応する送信フレームとＶｏＩＰ端末２２０に対応する送信フレームとをそれぞれ再構成できる。このため、各ＯＮＵ２００ｂは、加入者端末（ＰＣ２１０およびＶｏＩＰ端末２２０）間に送信優先度の高低がある場合に、送信優先度の高いＶｏＩＰ端末２２０に対応する送信フレームを優先して送信することができる。
【００４３】
以上、本発明について詳細に説明してきたが、前述の実施形態およびその変形例は発明の一例に過ぎず、本発明はこれらに限定されるものではない。本発明を逸脱しない範囲で変形可能であることは明らかである。
【図面の簡単な説明】
【００４４】
【図１】本発明の第１の実施形態を示すブロック図である。
【図２】加入者端末から送信されるユーザデータフレームのフレーム構成を示す説明図である。
【図３】第１の実施形態のＯＮＵの構成例を示すブロック図である。
【図４】第１の実施形態のＯＬＴの構成例を示すブロック図である。
【図５】第１の実施形態のＯＮＵにおけるフレーム分割処理の概要を示す説明図である。
【図６】第２の実施形態のＯＮＵの構成例を示すブロック図である。
【図７】第２の実施形態のＯＬＴの構成例を示すブロック図である。
【図８】第２の実施形態のＯＮＵにおけるフレーム分割処理の概要を示す説明図である。
【図９】第２の実施形態のＯＮＵにおけるフレーム分割処理の概要を示す説明図である。
【図１０】第３の実施形態のＯＮＵの構成例を示すブロック図である。
【図１１】第３の実施形態のＯＬＴの構成例を示すブロック図である。
【図１２】第３の実施形態のＯＮＵにおけるフレーム分割処理の概要を示す説明図である。
【符号の説明】
【００４５】
１００  ＰＯＮシステム
２００、２００ａ、２００ｂ  ＯＮＵ
２０１  ＰＯＮＩ／Ｆ部
２０２  復号化器
２０３  符号化器
２０４、２０４ａ、２０４ｂ  ＰＯＮ処理部
２０５、２０７、２０９  メモリ
２０６  Ethenet処理部
２０８  ＩＰ処理部
２１０  ＰＣ
２２０  ＶｏＩＰ端末
３００、２００ａ、２００ｂ  ＯＬＴ
３０１  ＰＯＮＩ／Ｆ部
３０２  復号化器
３０３  符号化器
３０４、３０４ａ、３０４ｂ  ＰＯＮ処理部
３０５、３０７、３０９  メモリ
３０６  Ethenet処理部
３０８  ＩＰ処理部
Ｂ１〜Ｂ２  第１〜第３識別子
ＤＦ１  分割フレーム
ＤＦ２  後続分割フレーム
ＤＰ  分割位置
ＧＴ１、ＧＴ２  送信期間
ＩＤ  ＯＮＵ識別領域
ＳＦ  送信フレーム
ＵＦ  ユーザデータフレーム
【図１】
2005269239.tif 000003
【図２】
2005269239.tif 000004
【図３】
2005269239.tif 000005
【図４】
2005269239.tif 000006
【図５】
2005269239.tif 000007
【図６】
2005269239.tif 000008
【図７】
2005269239.tif 000009
【図８】
2005269239.tif 000010
【図９】
2005269239.tif 000011
【図１０】
2005269239.tif 000012
【図１１】
2005269239.tif 000013
【図１２】
2005269239.tif 000014